(57)【要約】【課題】筐体が埋込空間に設置される場合において、露が埋込空間の天井面や吹出ダクトに付着することを従来よりも抑制する空気調和機を提供する。【解決手段】空調対象空間４１と連通する埋込空間４２に少なくとも一部が設けられる空気調和機１００であって、上部に吹出口３を有する筐体１と、吹出口３に設けられた吹出ダクト４と、を備え、吹出ダクト４は、吹出口３のうち筐体１の背面側に位置する背面側吹出口３ａを少なくとも覆い、背面側吹出口３ａから筐体１の前面側に向かって上方に傾斜する天面部４ｂを有する。【選択図】図２
2015148405.tif 000002
【特許請求の範囲】
【請求項１】
空調対象空間と連通する埋込空間に少なくとも一部が設けられる空気調和機であって、
上部に吹出口を有する筐体と、
前記吹出口に設けられた吹出ダクトと、を備え、
前記吹出ダクトは、
前記吹出口のうち前記筐体の背面側に位置する背面側吹出口を少なくとも覆い、前記背面側吹出口から前記筐体の前面側に向かって上方に傾斜する天面部を有する
ことを特徴とする空気調和機。
【請求項２】
前記筐体に設けられる軸受穴に挿通可能な固定軸をさらに備え、
前記固定軸が、前記吹出ダクトを介して、風向板の回動軸を挿通可能な前記軸受穴に挿通されることで、前記吹出ダクトは前記吹出口に設けられる
ことを特徴とする請求項１に記載の空気調和機。
【請求項３】
前記吹出ダクトは発泡断熱材で構成される
ことを特徴とする請求項１又は請求項２に記載の空気調和機。
【請求項４】
前記吹出ダクトは樹脂で構成され、前記吹出ダクトの内部は中空である
ことを特徴とする請求項１又は請求項２に記載の空気調和機。
【請求項５】
前記吹出ダクトは樹脂で構成され、前記吹出ダクトの内側面には断熱材が設けられている
ことを特徴とする請求項１又は請求項２に記載の空気調和機。
【発明の詳細な説明】
【技術分野】
【０００１】
本発明は、空気調和機に関する。
【背景技術】
【０００２】
一般に、床置き形空気調和機は、室内の居住スペースを広く確保するために、室内の壁やカウンターに設けられた埋込空間に完全埋込や半埋込にて設置されることがある。ここで、床置き形空気調和機が完全埋込にて設置されている場合には、埋込空間の天井面が空気調和機の吹出口の上方に位置するため、空気調和機から吹き出される風が天井面に吹き付けられて結露が生じることがある。
【０００３】
このため、従来、冷房運転時において、吹出風の向きを調整する板状の風向板を筐体の上面側の吹出口に設け、この風向板の回動範囲を制限し、吹出風が埋込空間の天井面に吹き付けられないように図った床置き形空気調和機があった（例えば、特許文献１参照）。
【先行技術文献】
【特許文献】
【０００４】
【特許文献１】特開平１１−９４３４８号公報（第５頁、第１図）
【発明の概要】
【発明が解決しようとする課題】
【０００５】
しかしながら、特許文献１に記載の床置き形空気調和機は、冷房運転時において、吹出風が風向板の両面を通過するため、風向板の上側を通る吹出風の一部が埋込空間の天井面に吹き付けられて、露が埋込空間の天井面に生じるという課題があった。
【０００６】
ここで、特許文献１に記載の床置き形空気調和機において、吹出風が風向板の下側のみを通過するように風向板を制御することで、空気調和機の筐体から吹き出される風が埋込空間の天井面に吹き付けられないようにすることが考えられる。しかしながら、この場合には、露が風向板の上側（すなわち、埋込空間の天井面に対向する面）に付着しやすくなる。このため、風向板に付着した露が、空気調和機の外側に流れ出し、床面を濡らしてしまうという課題があった。
【０００７】
本発明は、上述のような課題を背景としてなされたものであり、筐体が埋込空間に設置される場合において、露が埋込空間の天井面や吹出ダクトに付着することを従来よりも抑制する空気調和機を提供することを目的とする。
【課題を解決するための手段】
【０００８】
本発明に係る空気調和機は、空調対象空間と連通する埋込空間に少なくとも一部が設けられる空気調和機であって、上部に吹出口を有する筐体と、前記吹出口に設けられた吹出ダクトと、を備え、前記吹出ダクトは、前記吹出口のうち前記筐体の背面側に位置する背面側吹出口を少なくとも覆い、前記背面側吹出口から前記筐体の前面側に向かって上方に傾斜する天面部を有するものである。
【発明の効果】
【０００９】
本発明の空気調和機は、筐体の吹出口に設けられた吹出ダクトが、吹出口のうち筐体の背面側に位置する背面側吹出口を少なくとも覆い、背面側吹出口から筐体の前面側に向かって上方に傾斜する天面部を有する。このため、筐体の内部から流出した空気は、筐体の前面側に向かって流れる。したがって、筐体が埋込空間に設置される場合において、露が埋込空間の天井面や吹出ダクトに付着することを従来よりも抑制することができる。
【図面の簡単な説明】
【００１０】
【図１】本発明の実施の形態１に係る空気調和機１００が室内４０に設けられた状態を示す斜視図であり、全埋込設置を示している。
【図２】本発明の実施の形態１に係る空気調和機１００が室内４０に設けられた状態を示す縦断面図であり、全埋込設置を示している。
【図３】本発明の実施の形態１に係る空気調和機１００の吹出ダクト４の構成全体を示す斜視図である。
【図４】本発明の実施の形態１に係る空気調和機１００の吹出ダクト４の内面を示す図である。
【図５】本発明の実施の形態１に係る空気調和機１００の固定軸１８を示す斜視図である。
【図６】本発明の実施の形態１に係る空気調和機１００から吹出ダクト４を取り外して風向板１１を取り付けた状態を示す斜視図である。
【図７】図６の空気調和機１００が室内４０に設けられた状態を示す斜視図であり、半埋込設置を示している。
【図８】図６の空気調和機１００の吹出口３の構造を示す斜視図である。
【図９】図６の空気調和機１００の吹出口３の側壁を示す詳細断面図である。
【図１０】本発明の実施の形態１に係る空気調和機１００の吹出ダクト４を取り付ける前の風向板保持機構１３及び中間支持軸体１４を示す斜視図である。
【図１１】本発明の実施の形態１に係る空気調和機１００の吹出ダクト４の内側から見た固定軸１８が挿入された状態を示す部分詳細図である。
【図１２】本発明の実施の形態１に係る空気調和機１００の吹出ダクト４の内側から見た固定軸１８が弾性変形している状態を示す部分詳細図である。
【図１３】本発明の実施の形態１に係る空気調和機１００の吹出ダクト４と筐体１とを固定軸１８で固定した状態を示す部分詳細図である。
【図１４】本発明の実施の形態２に係る空気調和機１００の吹出ダクト４を正面方向から見た部分縦断面図である。
【図１５】本発明の実施の形態２に係る空気調和機１００の吹出ダクト４を側面方向から見た縦断面図である。
【図１６】本発明の実施の形態２に係る空気調和機１００の吹出ダクト４と筐体１とを固定軸１８で固定した状態を示す部分縦断面図である。
【図１７】本発明の実施の形態３に係る空気調和機１００の吹出ダクト４を示す斜視図である。
【図１８】本発明の実施の形態３に係る空気調和機１００の吹出ダクト４を側面方向から見た縦断面図である。
【図１９】本発明の実施の形態３に係る空気調和機１００の吹出ダクト４と筐体１とを固定軸１８で固定した状態を示す部分縦断面図である。
【発明を実施するための形態】
【００１１】
実施の形態１．
本発明の実施の形態１に係る空気調和機１００は、例えば以下の（１）、（２）のような構成である。まず、図１〜図５を用いて（１）について説明し、次に、図６〜図１０を用いて（２）について説明する。
【００１２】
（１）空気調和機１００が埋込空間に全埋込され、筐体の吹出口に吹出ダクトを設ける場合。
（２）空気調和機１００が露出又は埋込空間に半埋込され、筐体の吹出口に風向板を設ける場合。
【００１３】
図１は、本発明の実施の形態１に係る空気調和機１００が室内４０に設けられた状態を示す斜視図であり、全埋込設置を示している。
図２は、本発明の実施の形態１に係る空気調和機１００が室内４０に設けられた状態を示す縦断面図であり、全埋込設置を示している。
【００１４】
図１に示されるように、室内４０は、空調対象空間４１及び埋込空間４２で構成される。空調対象空間４１には壁５０が設けられている。壁５０には開口面５０ａが形成されている。空調対象空間４１と埋込空間４２とは開口面５０ａを介して連通している。埋込空間４２には空気調和機１００が設けられる。
【００１５】
空気調和機１００は、床置き形の空気調和機（室内機）であり、筐体１を有する。筐体１の前面下方には吸込口２が設けられ、筐体１の上面には吹出口３が設けられている。吹出口３の上方には、吹出口３の上側及び両側を覆うように吹出ダクト４が設けられている。
【００１６】
図２に示されるように、筐体１の内部には、室内熱交換器５、ファン６、及びドレンパン７が設けられている。室内熱交換器５は、暖房運転時に凝縮器として機能し、冷房運転時に蒸発器として機能する熱交換器である。ファン６は、室内４０の空気を室内熱交換器５に導く送風手段である。ドレンパン７は、室内熱交換器５で空気と冷媒とが熱交換されることで生じた水を受ける容器である。なお、図２の紙面左方向が筐体１の前面側であり、図２の紙面右方向が筐体１の背面側であるものとする。
【００１７】
吹出ダクト４は、吹出口３のうち筐体１の背面側に位置する背面側吹出口３ａを少なくとも覆うように設けられる。背面側吹出口３ａは、例えば、吹出口３の最も背面側に形成されている。吹出ダクト４は、筐体１に取り付けられた状態で、背面側吹出口３ａから筐体１の前面側に向かって上方に傾斜している。筐体１の上方には、埋込空間４２の一部を形成し、筐体１の上面と対向する天井面４２ａが形成されている。
【００１８】
以下に、空気調和機１００の運転時の空気流れについて説明する。
ファン６が駆動されると、室内４０の空気が吸込口２を通って筐体１内に吸い込まれる。筐体１内に吸い込まれた空気は、室内熱交換器５を流れる冷媒と熱交換して所望の温度に調整され、ファン６、吹出口３、吹出ダクト４を順に通過して室内４０へと吹き出される。
【００１９】
図３は本発明の実施の形態１に係る空気調和機１００の吹出ダクト４の全体構成を示す斜視図である。
図４は本発明の実施の形態１に係る空気調和機１００の吹出ダクト４の内面を示す図である。
図５は本発明の実施の形態１に係る空気調和機１００の固定軸１８を示す斜視図である。
【００２０】
図３に示されるように、吹出ダクト４は、例えば、前面部４ａ、天面部４ｂ、外側面部４ｃ、及び内面部４ｄを備える。前面部４ａは、筐体１に吹出ダクト４が取り付けられた状態で筐体１の前面側に位置する面である。天面部４ｂは、筐体１に吹出ダクト４が取り付けられた状態で筐体１の天面側に位置する面であり、吹出方向に向かって傾斜した形状を有する。このように天面部４ｂが構成されることで、吹出ダクト４は、筐体１から吹き出される空気の流れを遮らないようにする。外側面部４ｃは、筐体１に吹出ダクト４が取り付けられた状態で筐体１の側面に位置する。内面部４ｄは、吹出ダクト４の内面を構成し、天面部４ｂ及び外側面部４ｃとは反対側に位置している。吹出ダクト４は、例えば厚みのある発泡断熱材で構成される。
【００２１】
図３，図４に示されるように、吹出ダクト４の両側には、外側面部４ｃから内面部４ｄまでを貫通するように軸穴４ｅが設けられている。軸穴４ｅは、吹出ダクト４を筐体１に取り付ける際に固定軸１８が挿通される開口である。すなわち、軸穴４ｅは、固定軸１８を挿通できるような開口面積を有する。
【００２２】
図５に示されるように、固定軸１８は、段状の第１筒部１９と、弾性変形可能な第２筒部２０と、を有する。なお、図５に示す矢印方向は、固定軸１８が軸穴４ｅに挿通される方向を示している。
【００２３】
第１筒部１９は、第１部位１９ａ及び第２部位１９ｂを有する。第１部位１９ａは、例えば円柱形状の部位である。第２部位１９ｂは、第１部位１９ａの外径よりも大きい外径を有する円柱形状の部位であり、第１部位１９ａと接続される部位である。第１筒部１９は、固定軸１８が吹出ダクト４及び筐体１に取り付けられた状態で、長手方向の全長の略半分が筐体１の内部に位置する。第１筒部１９のうち筐体１の内部に位置する部位は、例えば第１部位１９ａである。
【００２４】
第２筒部２０は、第２部位１９ｂの外径よりも大きい外径を有する円柱形状の部位であり、第２部位１９ｂと接続される部位である。第２筒部２０は、リブ２１と、平面部２２と、を備える。第２筒部２０には切り込み２３が形成される。
【００２５】
リブ２１は、第２筒部２０の円周方向に垂直に突出する部位である。リブ２１は、突出する長さが固定軸１８の反挿入方向から挿入方向に向かって小さくなるように傾斜した形状を有している。リブ２１は、例えば第２筒部２０の外周面において、互いに反対側に位置するように２つ設けられている。
【００２６】
平面部２２は、第２筒部２０の外周面に形成され、固定軸１８の反挿入側端部から固定軸１８の挿入側に向かって形成されている。平面部２２は、例えば、リブ２１の突出方向と垂直方向に形成されている。切り込み２３は、リブ２１の位置から９０度ずれた位置に設けられたＵ字状の切り込みである。切り込み２３は、互いに反対側に位置するように２箇所に形成されている。切り込み２３は、固定軸１８の反挿入側端部から固定軸１８の挿入側に向かって切り欠いた形状を有する。切り込み２３は、固定軸１８の挿入側端部を切り欠かない程度に形成されている。
【００２７】
図６は、本発明の実施の形態１に係る空気調和機１００から吹出ダクト４を取り外して風向板１１を取り付けた状態を示す斜視図である。
図７は、図６の空気調和機１００が室内４０に設けられた状態を示す斜視図であり、半埋込設置を示している。
図８は、図６の空気調和機１００の吹出口３の構造を示す斜視図である。
図９は、図６の空気調和機１００の吹出口３の側壁を示す詳細断面図である。
【００２８】
図６〜図８に示されるように、吹出口３には、前吹出風向板８、上吹出前風向板９、及び上吹出後風向板１０が設けられる。前吹出風向板８は、長手方向の両端部に回動軸１０８を有する部材である。上吹出前風向板９は、長手方向の両端部に回動軸１０９を有する部材である。上吹出後風向板１０は、長手方向の両端部に回動軸１１０を有する部材である。上吹出前風向板９及び上吹出後風向板１０には風向板保持機構１３が設けられている。前吹出風向板８、上吹出前風向板９、及び上吹出後風向板１０は、前方から前吹出風向板８、上吹出前風向板９、上吹出後風向板１０の順に設けられている。
【００２９】
図８，図９に示されるように、筐体１には、軸受穴１１８，１１９，１２０が設けられている。軸受穴１１８は、回動軸１０８が挿入される穴である。軸受穴１１９は、回動軸１０９が挿入される穴である。軸受穴１２０は、回動軸１１０が挿入される穴である。
【００３０】
なお、以下の説明において、前吹出風向板８、上吹出前風向板９、及び上吹出後風向板１０を風向板１１と総称することがある。
また、以下の説明において、回動軸１０８、回動軸１０９、及び回動軸１１０を回動軸１１１と総称することがある。
また、以下の説明において、軸受穴１１８、軸受穴１１９、及び軸受穴１２０を軸受穴１２１と総称することがある。
【００３１】
図１０は、本発明の実施の形態１に係る空気調和機１００の吹出ダクト４を取り付ける前の風向板保持機構１３及び中間支持軸体１４を示す斜視図である。
【００３２】
図１０に示されるように、風向板保持機構１３は、ガード部２８、爪２９、及び軸３１を有する部材である。ガード部２８は、爪２９の周囲を囲むように設けられる部位である。爪２９は、風向板１１に設けられる係止突起３０と係合可能な部材である。軸３１は、軸受部１６ａ（後述する）に挿入される部材である。中間支持軸体１４は、軸回転部１６を有する部材であり、筐体１に支持されている。軸回転部１６は、軸３１が挿入される軸受部１６ａを有する。
【００３３】
以下に、（１）筐体１に風向板１１を取り付ける手順、（２）筐体１から風向板１１を取り外す手順について説明する。なお、（１）の手順は、例えば、埋込空間４２に設けられていた筐体１を室内４０に露出させたり半埋込する場合に行われる。すなわち、例えば、筐体１から吹出ダクト４が取り外された後に行われる。また、（２）の手順は、例えば、室内４０に露出したり半埋込されていた筐体１が埋込空間４２に設けられる場合に行われる。すなわち、例えば、筐体１に吹出ダクト４を取り付ける前に行われる。
【００３４】
（１）筐体１に風向板１１を取り付ける手順
風向板保持機構１３の軸３１が、中間支持軸体１４の軸受部１６ａに挿入されることで、風向板保持機構１３が中間支持軸体１４に取り付けられる。そして、風向板保持機構１３の爪２９と風向板１１の係止突起３０とが係合されることで、風向板１１は風向板保持機構１３に取り付けられる。このようにして、風向板１１は中間支持軸体１４に取り付けられる。ここで、中間支持軸体１４は筐体１に設けられている。したがって、風向板１１は筐体１に取り付けられることになる。
【００３５】
（２）筐体１から風向板１１を取り外す手順
風向板１１とガード部２８との隙間にマイナスドライバー等の工具を挿入し、風向板保持機構１３の爪２９を押し上げる。当該工具が爪２９を押し上げ、風向板保持機構１３の爪２９が風向板保持機構１３の係止突起３０を乗り越えると、風向板保持機構１３の爪２９と風向板１１の係止突起３０との係合状態が解除される。そして、風向板保持機構１３の軸３１を中間支持軸体１４の軸受部１６ａから抜くようにスライドさせることで、風向板保持機構１３は中間支持軸体１４から取り外される。このようにして、筐体１から風向板１１が取り外されることとなる。
【００３６】
図１１は本発明の実施の形態１に係る空気調和機１００の吹出ダクト４の内側から見た固定軸１８が挿入された状態を示す部分詳細図である。
図１２は本発明の実施の形態１に係る空気調和機１００の吹出ダクト４の内側から見た固定軸１８が弾性変形している状態を示す部分詳細図である。
図１３は本発明の実施の形態１に係る空気調和機１００の吹出ダクト４と筐体１とを固定軸１８で固定した状態を示す部分詳細図である。
【００３７】
図１１〜図１３を用いて、（１）筐体１に吹出ダクト４を取り付ける手順、（２）筐体１から吹出ダクト４を取り外す手順、について説明する。なお、図１１及び図１２は同一部分における断面図を示している。
【００３８】
（１）筐体１に吹出ダクト４を取り付ける手順
まず、使用者は、軸穴４ｅ及び軸受穴１１９が同軸上に位置するように、吹出ダクト４及び筐体１を配置する。次に、使用者は、固定軸１８を第１筒部１９側から吹出ダクト４の軸穴４ｅに挿通し、固定軸１８をさらに筐体１の軸受穴１１９に挿通していく。このとき、図１１に示されるように、切り込み２３が設けられることで形成された空間が見える状態となっている。
【００３９】
ここで上述したように、固定軸１８は、第２筒部２０の円周方向に垂直に突出するリブ２１を有する。このため、固定軸１８を軸穴４ｅに挿通するとき、吹出ダクト４からリブ２１に向かう力が徐々に加わり、これにより、リブ２１は、第２筒部２０の径方向内側に向かう力を第２筒部２０に加えることとなる。このため、図１２に示されるように、固定軸１８は弾性変形して、切り込み２３が設けられることで形成された空間が見えなくなっている。そして、使用者がさらに固定軸１８を軸穴４ｅに挿通していくと、リブ２１は軸穴４ｅを乗り越えることで吹出ダクト４からリブ２１に向かう力は無くなる。このようにして、リブ２１は、吹出ダクト４の内部に食い込み、振動などでズレて外れにくくなる。
【００４０】
一方、固定軸１８が軸受穴１１９に挿通されると、第１筒部１９の第１部位１９ａが軸受穴１１９に嵌まり、第２筒部２０のリブ２１が吹出ダクト４の内部に位置する状態となる。このようにして、図１３に示されるように、第２部位１９ｂ側の端部が吹出ダクト４の内側面と整列する状態となり、筐体１に吹出ダクト４が取り付けられる。
【００４１】
なお、筐体１に吹出ダクト４を取り付ける場合には、固定軸１８の第１筒部１９の一部を軸受穴１１９に挿通する必要がある。すなわち、風向板１１が軸受穴１１９に取り付けられている場合には、風向板１１を取り外した後、筐体１に吹出ダクト４を取り付ける作業を行う。
【００４２】
（２）筐体１から吹出ダクト４を取り外す手順
使用者は、上述の（１）とは逆の手順で作業を行うことで、吹出ダクト４を筐体１から取り外す。すなわち、固定軸１８を筐体１の軸受穴１１９と吹出ダクト４の軸穴４ｅに挿入した方向とは逆方向に固定軸１８を摺動させる。
【００４３】
このとき、固定軸１８のリブ２１を固定軸１８の中心方向に押し下げ、吹出ダクト４に食い込んでいる分を乗り越える必要がある。なお、固定軸１８の第２部位１９ｂ側の端部は、吹出ダクト４の内側面と整列する位置に取り付けられている状態では、素手で（すなわち、工具を用いずに）固定軸１８のリブ２１が吹出ダクト４に食い込んでいる分、固定軸１８の中心方向に押し下げることができないため、固定軸１８を抜き出すことができない。
【００４４】
このため、ラジオペンチ等の一般的な工具を用いて、固定軸１８のリブ２１が、吹出ダクト４の軸穴４ｅに食い込んでいる分を解除するようにする。そして、例えば、ラジオペンチを吹出ダクト４の軸穴４ｅと固定軸１８の平面部２２との間に挿入し、ラジオペンチで固定軸１８の中心方向に押し下げる。これにより、固定軸１８のリブ２１が吹出ダクト４の軸穴４ｅに食い込んでいる分を乗り越えることができる。
【００４５】
このように、サービス業者が筐体１のメンテナンスを行う場合、ラジオペンチ等の一般的な工具を用いることで、筐体１の軸受穴１１９及び吹出ダクト４の軸穴４ｅから固定軸１８を容易に取り外すことができる。すなわち、メンテナンスにおける作業性が良くなる。
【００４６】
以上のように、本実施の形態１に係る空気調和機１００は、上部に吹出口３を有する筐体１と、吹出口３に設けられた吹出ダクト４と、を備え、吹出ダクト４は、吹出口３のうち筐体１の背面側に位置する背面側吹出口３ａを少なくとも覆い、背面側吹出口３ａから筐体１の前面側に向かって上方に傾斜する天面部４ｂを有する。このため、筐体１の吹出口３から流出する空気は、筐体１の前面側に向かって吹き出される。したがって、筐体１が埋込空間４２に設置される場合において、露が埋込空間４２の天井面４２ａに付着することを抑制できる。すなわち、露が吹出ダクト４に付着することを抑制できるため、露が空気調和機１００の外側に流れ出すことも抑制できる。また、吹出ダクト４は背面側吹出口３ａから開口面５０ａに向かって上方に傾斜するため、筐体１から吹き出される空気は、乱れることなく室内全体に行き渡る。したがって、空気調和機１００の性能を一層発揮できる。
【００４７】
また、筐体１の軸受穴１１９は、風向板１１の回動軸１１１が挿通される軸受としての役割を果たし、また、吹出ダクト４を取り付けるときに用いられる固定軸１８が挿通される軸受の役割を果たす。このため、空気調和機１００が露出や半埋込で室内４０に設置される場合、及び空気調和機１００が全埋込で室内４０に設置される場合に、筐体１の軸受穴１１９を共有することができる。したがって、省資源化を図ることができる。
【００４８】
また、吹出ダクト４は、厚みのある発泡断熱材で構成されている。このため、冷房運転時に、筐体１の吹出口３から吹き出される冷却された空気が、吹出ダクト４の内側を通過して吹き出される状態であっても、断熱により発泡材全体が冷却されることを抑制できる。したがって、露が、温かい室内空気と隣接する吹出ダクト４の外側や筐体１に付着することを抑制することができる。
【００４９】
また、固定軸１８を用いて吹出ダクト４を筐体１に取り付ける構成となっているため、使用者が掃除をする場合には、使用者が吹出ダクト４に触れても、安易に外れることがない。
【００５０】
また、筐体１に吹出ダクト４を取り付けた状態で、使用者は、ラジオペンチ等の一般的な工具を用いることで固定軸１８を容易に取り外すことができる。このため、使用者が、吹出ダクト４を誤って取り外す可能性を低減し、サービス業者が、メンテナンス時に作業性を損なわないで、筐体１から吹出ダクト４を取り外すことができる。
【００５１】
また、固定軸１８を軸穴４ｅに挿入するとき、第２筒部２０の端部に対する形で２か所に位置する平面部２２を、両方から円の中心方向へＵ字状の切り込み２３空間分押し、弾性変形させることができる。このため、固定軸１８を軸穴４ｅに挿入するとき、リブ２１が吹出ダクト４を傷つける可能性を低減できる。
【００５２】
また、筐体１から固定軸１８を取り外す場合には、筐体１に固定軸１８を挿入する場合とは逆の手順で作業を行うことで、筐体１から固定軸１８を取り外した場合に、リブ２１が吹出ダクト４を傷つけることを抑制することができる。
【００５３】
また、固定軸１８は、第１筒部１９は段状に形成されている。このため、固定軸１８が軸穴４ｅ及び軸受穴１１９に挿入されて吹出ダクト４が筐体１に取り付けられるとき、固定軸１８が軸受穴１１９に過剰に入り込むのを抑制し、かつ、軸受穴１１９への入り込みによる吹出ダクト４の軸穴４ｅと固定軸１８とのかかり代を確保することができる。
【００５４】
実施の形態２．
本実施の形態２は、実施の形態１とは異なり、吹出ダクト４を樹脂で構成し、吹出ダクト４の内部を中空にしたものである。
【００５５】
図１４は本発明の実施の形態２に係る空気調和機１００の吹出ダクト４を正面方向から見た部分縦断面図である。
図１５は本発明の実施の形態２に係る空気調和機１００の吹出ダクト４を側面方向から見た縦断面図である。
図１６は本発明の実施の形態２に係る空気調和機１００の吹出ダクト４と筐体１とを固定軸１８で固定した状態を示す部分縦断面図である。
【００５６】
図１４〜図１６に示されるように、吹出ダクト４は、例えば樹脂製のダクトで構成される。吹出ダクト４の内部は中空２５で構成される。
【００５７】
以上のように、本実施の形態２に係る空気調和機１００は、吹出ダクト４が樹脂３４で構成されており、吹出ダクト４の内部は中空２５である。このため、例えば、空気調和機１００の冷媒と熱交換することで冷却され吹出口３から吹き出された空気が、吹出ダクト４の内側を通過して吹き出されても、温かい室内空気と隣接する吹出ダクト４の外側に生ずる露付きを抑制することができる。
【００５８】
なお、本実施の形態２における固定軸１８の取り付け方法及び取り外し方法は、実施の形態１と同様であるが、吹出ダクト４は樹脂製であり、吹出ダクト４の内部は中空２５であるため、固定軸１８のリブ２１が中空２５まで挿入されることで、リブ２１が樹脂部に引っ掛かり抜けにくい構造となっているが、メンテナンス時には、ラジオペンチで容易に取り外すことが可能な構造となっている。
【００５９】
実施の形態３．
実施の形態３は、実施の形態１とは異なり、吹出ダクト４を樹脂で構成し、吹出ダクト４の内側面に断熱材２７を設けたものである。
【００６０】
図１７は本発明の実施の形態３に係る空気調和機１００の吹出ダクト４を示す斜視図である。
図１８は本発明の実施の形態３に係る空気調和機１００の吹出ダクト４を側面方向から見た縦断面図である。
図１９は本発明の実施の形態３に係る空気調和機１００の吹出ダクト４と筐体１とを固定軸１８で固定した状態を示す部分縦断面図である。
【００６１】
図１７〜図１９に示されるように、吹出ダクト４は樹脂３４で構成され、吹出ダクト４の内側面には断熱材２７が設けられている。断熱材２７は、吹出ダクト４が筐体１に取り付けられた状態で、吹出口３と対向する位置に設けられている。断熱材２７は、例えば、吹出ダクト４のうち内面部４ｄに設けられる。
【００６２】
以上のように、本実施の形態３に係る空気調和機１００は、吹出ダクト４が樹脂３４で構成され、吹出ダクト４の内側面には断熱材２７が設けられている。このため、空気調和機１００の冷媒と熱交換することで冷却され吹出口３から吹き出された空気が、断熱材２７で断熱され、温かい室内空気と隣接する内側面に断熱材２７を有する吹出ダクト４の外側に生ずる露付きを抑制することができる。
【００６３】
なお、本実施の形態３における固定軸１８の取り付け方法及び取り外し方法は、実施の形態１と同様であるが、吹出ダクト４の内側面には断熱材２７が設けられているため、固定軸１８のリブ２１は、実施の形態１と同様に断熱材の部分に食い込むことで抜けにくい構造となっているが、メンテナンス時には、ラジオペンチで容易に取り外すことが可能な構造となっている。
【符号の説明】
【００６４】
１  筐体、２  吸込口、３  吹出口、３ａ  背面側吹出口、４  吹出ダクト、４ａ  前面部、４ｂ  天面部、４ｃ  外側面部、４ｄ  内面部、４ｅ  軸穴、５  室内熱交換器、６  ファン、７  ドレンパン、８  前吹出風向板、９  上吹出前風向板、１０  上吹出後風向板、１１  風向板、１３  風向板保持機構、１４  中間支持軸体、１６  軸回転部、１６ａ  軸受部、１８  固定軸、１９  第１筒部、１９ａ  第１部位、１９ｂ  第２部位、２０  第２筒部、２１  リブ、２２  平面部、２３  切り込み、２５  中空、２７  断熱材、２８  ガード部、２９  爪、３０  係止突起、３１  軸、３４  樹脂、４０  室内、４１  空調対象空間、４２  埋込空間、４２ａ  天井面、５０  壁、５０ａ  開口面、１００  空気調和機、１０８  回動軸、１０９  回動軸、１１０  回動軸、１１１  回動軸、１１８  軸受穴、１１９  軸受穴、１２０  軸受穴、１２１  軸受穴。
【図１】
2015148405.tif 000003
【図２】
2015148405.tif 000004
【図３】
2015148405.tif 000005
【図４】
2015148405.tif 000006
【図５】
2015148405.tif 000007
【図６】
2015148405.tif 000008
【図７】
2015148405.tif 000009
【図８】
2015148405.tif 000010
【図９】
2015148405.tif 000011
【図１０】
2015148405.tif 000012
【図１１】
2015148405.tif 000013
【図１２】
2015148405.tif 000014
【図１３】
2015148405.tif 000015
【図１４】
2015148405.tif 000016
【図１５】
2015148405.tif 000017
【図１６】
2015148405.tif 000018
【図１７】
2015148405.tif 000019
【図１８】
2015148405.tif 000020
【図１９】
2015148405.tif 000021